(57)【要約】  光源からの光の変化を誘発するための光学素子（１０３）であって、光ガイド（１０４）を形成するよう配置される可撓材料（１０４）を収容する貯槽（１０２）を含み、光ガイド（１０４）は、可撓材料（１０４）と可撓材料の屈折率よりも低い屈折率を有する周囲媒体（１０９）との間の界面によって形成される第一境界（１０５）及び貯槽の内部表面によって形成される第二境界（１０７）の内側で光ガイド（１０４）内に取り入れられる光（２００）を案内するよう構成され、可撓材料（１０４）と周囲媒体（１０９）との間の前記界面（１０５）の時間で変動する歪みを誘発するよう配置される表面励起ユニット（１１１）を含み、歪みは光の取出しを異なる角度で可能にする。利点は、光源が貯槽の下に配置される必要がないので、光ガイドがよりコンパクトな照明を可能にすることである。
2011528485.tif 000002
【特許請求の範囲】
【請求項１】
光源からの光の変化を誘発するための光学素子であって、
光ガイドを形成するよう配置される可撓材料を収容する貯槽を含み、前記光ガイドは、前記可撓材料と前記可撓材料の屈折率よりも低い屈折率を有する周囲媒体との間の界面によって形成される第一境界及び前記貯槽の内表面によって形成される第二境界の内側で、前記光ガイド内に取り入れられる光を案内するよう構成され、
前記可撓材料と前記周囲媒体との間に前記界面の時間変動歪みを誘発するよう配置される表面励起ユニットを含み、前記歪みは、異なる角度で光の取出しを可能にする、
光学素子。
【請求項２】
前記可撓材料は、液体であり、前記歪みは、前記液体表面における波紋である、請求項１に記載の光学素子。
【請求項３】
前記光ガイドの前記第一境界及び第二境界は、楔形の光ガイドを形成するよう配置される、請求項１又は２に記載の光学素子。
【請求項４】
前記光ガイドから取り出される光を所望の方向に方向変更するよう配置される方向変更板を更に含む、請求項１乃至３のうちのいずれか１項に記載の光学素子。
【請求項５】
前記貯槽は、閉塞貯槽をもたらす蓋を備える、請求項１乃至４のうちのいずれか１項に記載の光学素子。
【請求項６】
前記貯槽の内表面は、鏡面反射器である、請求項１乃至５のうちのいずれか１項に記載の光学素子。
【請求項７】
前記貯槽は、前記光ガイドを構成する前記可撓材料の表面に配置される流体を更に収容し、前記流体は、前記周囲媒体を構成する、請求項１乃至６のうちのいずれか１項に記載の光学素子。
【請求項８】
前記流体は、前記光ガイドの前記液体と混和しない液体であり、且つ、より低い密度を有する、請求項２に従属するときの請求項７に記載の光学素子。
【請求項９】
前記界面が歪められる周波数は、０．０１Ｈｚと１０Ｈｚとの間である、請求項１乃至８のうちのいずれか１項に記載の光学素子。
【請求項１０】
前記可撓材料と前記周囲媒体との間の前記界面における歪みを多数の位置で誘発する多数の表面励起ユニットを含む、請求項１乃至９のうちのいずれか１項に記載の光学素子。
【請求項１１】
前記表面励起ユニットは、光が取り入れられることが意図される前記光ガイドの側に近接して配置される、請求項１乃至１０のうちのいずれか１項に記載の光学素子。
【請求項１２】
請求項１乃至１１のうちのいずれか１項に記載の光学素子と、光源とを含み、該光源は、該光源によって放射される光が前記光学素子の前記光ガイドに取り入れられるように配置される、照明装置。
【請求項１３】
前記光ガイドに進入する光ビームの方向が所定角度範囲内にあることを保証する取入れ装置を更に含む、請求項１乃至１２のうちのいずれか１項に記載の照明装置。
【発明の詳細な説明】
【技術分野】
【０００１】
本発明は、光源からの光の変動を誘発するための光学素子に関する。
【背景技術】
【０００２】
装飾／建築照明用途のために固体光源のような小点光源が広範に使用されている。（一方向に）狭いビームを作成することによって、少ない照明器具で大きい壁を照明することができる。従来的には、複数のＬＥＤ（Ｒ、Ｇ、Ｂ、温白色、冷白色）によって形成されるＬＥＤビームの色均衡を変更することによって動的効果が達成される。この照明方法（ウォールウォッシングと呼ばれることもある）は、例えば、人々が比較的短時間に亘って滞在する公共空間において高く評価されている。しかしながら、例えば、人々が長い時間期間に亘って滞在するオフィス空間では、より繊細で自然な動的照明方法が望まれる。
【０００３】
ＧＢ２３６２４５４Ａは、液体の表面に波紋が生成される液体貯槽を有し且つ下方からの照明によって投影され得る照明装置を描写している。磁気アクチュエータによって波紋を生成し得る。磁気アクチュエータは浮動し或いは沈水され得る。磁気アクチュエータは、可変電気信号によって駆動される電磁石によって、上下に移動され得る。しかしながら、そのような照明装置は幾分嵩張りがちであり、それは多くの状況において好ましくない。例えば、装飾照明用途において照明装置を周囲と調和させるために、そのような照明装置を組み込むことは困難であり得る。よって、改良された照明装置の必要がある。
【発明の概要】
【発明が解決しようとする課題】
【０００４】
上記に鑑み、本発明の目的は、上記に議論された問題の少なくとも１つを解決し或いは少なくとも軽減することである。具体的には、可変照明を可能にし且つ多用途照明装置を可能にし得る光学素子を提供することが目的である。
【課題を解決するための手段】
【０００５】
本発明の第一の特徴によれば、光源からの光の変化を誘発するための光学素子が提供され、光学素子は、光ガイドを形成するよう配置される可撓材料を収容する貯槽を含み、光ガイドは、可撓材料と可撓材料の屈折率よりも低い屈折率を有する周囲媒体との間の界面によって形成される第一境界及び貯槽の内表面によって形成される第二境界の内側で光ガイド内に取り入れられる光を案内するよう構成される。可撓材料と周囲媒体との間に界面の時間変動歪みを誘発するために表面励起ユニットが配置される。前記構成を通じて、光学素子によって出力される光に時間及び空間における変動を誘発し得る。
【０００６】
第一界面（即ち、可撓材料と周囲媒体との間の界面）での全反射（ＴＩＲ）を用いて並びに第二界面でのＴＩＲによって或いは反射によって光を案内し得る。
【０００７】
利点は、光源が貯槽の下に配置される必要がないので、光ガイドがよりコンパクトな照明装置が可能にすることである。更に、それは光出力が必ずしも光源の位置の関数ではなく、よって、使用される光源の数及びそれらの位置付けに余り感応的でない照明装置も可能にする。これは高出力ＬＥＤが使用されるときに特に有用である。何故ならば、光源の数は、典型的には、この場合には減少されるからである。更に、液体表面上に光を反射する光源（即ち、水面上で反射される太陽光と同じ原理）を使用する装置と比べて、液体容積を通じて光を案内することは、より効果的であり、且つ、よりコンパクトな装置を可能にする。何故ならば、装置は液体表面上の斜入射光に依存しないからである。
【０００８】
可撓材料は、ここでは、広義に解釈されるべきであり、例えば、表面が弾性的に歪められ得る、如何なる材料であってもよい。例えば、それは液体であってもよく、その場合、歪みは、液体表面に誘発される波紋である。しかしながら、可撓材料は弾性的であるか、或いは、ゲル又はポリマのように粘弾的であってもよい。実施例は、シリコンベースの有機ポリマであるＰＤＭＳ（ポリジメチルシロキサン）である。
【０００９】
表面励起ユニットは広義に解釈されるべきであり、可撓材料の表面を歪めるために使用可能な如何なる材料であってもよい。液体表面について、これは、例えば、機械的素子を液体内に浸漬することによって、（例えば、電磁場を用いて）液体内に浸水され或いは浮動する素子を作動することによって、（例えば、拡声器からの音響騒音或いは空気を吹き付けることによって）表面で圧力波を送ることによって、或いは、表面内に流体を滴下し或いは射出することによって達成され得る。液体以外の可撓材料を歪め得るよう類似の技法も使用し得ることが当業者によって認識されよう。
【００１０】
本発明は、仮に適切な周囲媒体が選択されるならば、可撓材料を光ガイドとして使用することができ、それによって、可撓材料と周囲媒体との間の界面に「波紋」を誘発することによって、光学素子による平衡強度分配出力を無作為に歪めることができ、それによって、光の動的な取出しを可能とし、その結果、太陽光が水の上で反射され且つ壁又は天井を照明するときに達成される照明に類似する照明パターンをもたらすという理解に基づいている。
【００１１】
光ビームはより高い屈折率を備える媒体内で伝搬し、より低い屈折率を備える媒体に対する界面を打つので、光ビームは、通常、部分的に屈折され、且つ、部分的に反射される。全反射（ＴＩＲ）が起こり、界面を通過する光がなく、全ての光が界面で反射されるまでは、界面の法線に対する角度が大きければ大きいほど、透過される光ビームの屈折は小さい。これが第一に起こる角度は、臨界角として知られている。臨界角は、典型的には、２つの媒体の屈折率に依存する。よって、適切な屈折率を有する液体（又は他の可撓材料）及び周囲媒体を利用することによって、光は液体を通じて移動され、液体と周囲媒体との間の界面の大きい部分を通じて取り出され得る。更に、移動する波紋は、光ガイドからの光の取出しに影響を及ぼし、それによって、光学素子に起因する照明の強度分布に影響を及ぼし得る。
【００１２】
可撓材料は、液体であり得るのに対し、歪みは、液体表面における波紋である。利点は、液体が、典型的には、例えば、水面上で反射される太陽光に類似する繊細で自然な照明パターンを生成し得ることである。
【００１３】
楔形の光ガイドを形成するよう、光ガイドの第一境界及び第二境界を配置し得る。光源から離れる方向に先細い楔形の光ガイドを使用することによって、取出し構造を必要とせずに光を取り出し得る。更に、第一境界と第二境界との間の相対的な傾斜によって、光ガイドから漏れ出る強度分布の方向及びビーム幅を回転し得る。「鋭角な」楔形の光ガイド（即ち、境界間の小さい相対的傾斜）のために、取出し光の強度分布はより狭くなりがちであるが、より非対称的でもある。ここで、非対称的とは、強度分布が可撓材料と周囲媒体との間の界面に対する法線に対して傾斜されることを意味する。光ガイドから取り出される光を所望の方向に方向変更するために、方向変更板を配置し得る。これは取出し光の強度プロファイルが傾斜され且つ／或いは成形されるのを可能にする。方向変更板は、適切なプリズム構造を備えるプリズム板であり得る。プリズム構造は、光ガイドに面する側に一組の尖頭プリズムを含み得る。プリズムは、典型的には、規則的に配置されるのに対し、プリズムの頂角は、所望の光強度プロファイルを得るよう構成される。ある実施態様によれば、全ての頂角は同じであり得る。楔形の光ガイドの光強度分配を成形し且つ方向変更するために、プリズム板が好ましい。しかしながら、例えば、光平行化パネル又はホログラフィック箔のような、代替的な方向変更板を使用し得る。
【００１４】
貯槽は、閉塞貯槽をもたらす蓋を備え得る。これは、液体を溢れ出さず、液体を気化せず、且つ／或いは、液体が如何なる人とも接触しない、より頑強な照明装置を可能にする。
【００１５】
（例えば、第二境界を構成する表面のような）貯槽の内表面は、鏡のような鏡面反射器であり得る。光は鏡面反射器を通過しないので、失われる（即ち、意図される方向以外の方向に装置から放射される）光の量を減少し、より効率的な照明を達成し得る。
【００１６】
貯槽は、更に、光ガイドを構成する可撓材料の表面に配置される流体を含んでもよく、その場合、流体は周囲媒体を構成する。流体は、気体又は液体であり得る。
【００１７】
周囲媒体を構成する流体は、液体であってもよく、好ましくは、光ガイドを構成する液体と混和し得ない。混和しないことによって、２つの液体は、波紋が導入されるときも、２つの別個の層内に配置され且つ留まると理解されるべきである。更に、「ダウンライト」を可能にするために、光ガイドを構成する液体は、周囲媒体の液体よりも低い密度を有し得る。光ガイドの液体は周囲媒体よりも低い密度を有するので、光ガイドを構成する液体の表面は、光ガイドの下側にあり、それによって、誘発される波紋は、光を下向きに取り出す。
【００１８】
周波数は、好ましくは、０．０１Ｈｚと１０Ｈｚとの間であり、より好ましくは、約０．１Ｈｚである。これらの周波数で表面を歪めることは、取出し光の強度分布に強く影響を及ぼす移動する波紋を生成し、水面上で反射される光に類似する照明パターンを生み出す。代替的な照明力学を達成するために、可変の励起周波数を利用することも可能である。励起は、例えば、無作為に起こり得る。
【００１９】
光学素子は、１つの地点よりも多くの地点で可撓媒体と周囲媒体との間の界面に歪みを誘発するために、多数の表面励起ユニットを含み得る。これは液体内で干渉する波紋を可能にし、それによって、代替的な照明力学を提供する。
【００２０】
表面励起ユニットは、好ましくは、光ガイドの取出し側に近接して配置される。利点は、光ガイドの取出し側に近接して取り出される光が僅かであるか或いはなく、表面励起ユニットが光路内にないことである。その効果を達成するために、典型的には、光ガイドの全長の最初の５分の１内に取入れ装置を配置し得る。
【００２１】
光ガイドを構成する液体は、好ましくは、透明、不燃性、無毒性であることができ、且つ、揮発性であり過ぎない（即ち、低い蒸気圧を有する）。液体の粘度は、好ましくは、所望の照明力学を達成するよう選択される。光ガイドとしての使用に適した液体の実施例は、シリコーン油及び水である。しかしながら、ある実施態様によれば、光学素子によって出力される光の所望の色彩を達成するために、光ガイドを構成する可撓材料（例えば、液体）を着色し得る。
【００２２】
光学素子は、光源によって放射される光が光学素子の光ガイドに取り入れられるように配置される光源を含む照明装置において特に有用である。様々な光源を利用し得る。実施例は、固体光源（例えば、発光ダイオードＬＥＤを参照）のような小点光源である。光源の他の実施例は、蛍光管又はレーザである。
【００２３】
照明装置は、更に、コリメータのような取入れ装置を含み、それは光ガイドに進入する殆どの光ビームの方向が所定の角度範囲内にあることを保証する。利点は、これが最適な照明効果を可能にすることである。それは光源から放射される光の大部分が光ガイドに取り入れられることも可能にする。
【００２４】
照明装置は、照明器具、例えば、物体又は周囲を照明することが意図される装置において使用され得る。
【００２５】
本発明は請求項中に引用される機能の全ての可能な組み合わせに関係することが付記される。
【００２６】
本発明の上記の並びに追加的な目的、特徴、及び、利点は、付属の概略図を参照して、本発明の好適実施態様の以下の例証的且つ非限定的な詳細な記載を通じてより良好に理解されるであろう。図面では、類似の素子のために、同じ参照番号が使用される。
【図面の簡単な説明】
【００２７】
【図１ａ】本発明に従った照明装置を示す斜視図である。
【図１ｂ】照明装置を示す断面図である。
【図１ｃ】波紋付き表面に衝突するときの３つの光ビームを示す概略図である。
【図２ａ】標準的なプリズム状構造を有する方向変更板を示す概略図である。
【図２ｂ】方向変更板が取出し光の強度分布をどのように方向変更し得るかを示す概略図である。
【図２ｃ】方向変更板が取出し光の強度分布をどのように方向変更し得るかを示す概略図である。
【図３ａ】上向き及び下向きの両方の光を出力する照明装置を示す概略図である。
【図３ｂ】「ダウンライト」を出力する照明装置を示す概略図である。
【図４】「ダウンライト」の代替的な実施態様を示す概略図である。
【図５】円筒形照明装置を示す概略図である。
【発明を実施するための形態】
【００２８】
図１ａは、天井の動的照明１０１を提供するために床付近に配置される照明装置１００を例証している。照明装置１００は、液体１０４と周囲媒体１０９とを収容する矩形の貯槽１０２を含む光学素子１０３を含む。周囲媒体１０９は、液体１０４の屈折率よりも低い屈折率を有する。ここでは、液体１０４は、ｎｓｉｌｉｃｏｎｅ≒１．５６の屈折率を有するシリコーン油であるのに対し、周囲媒体１０９は、ｎａｉｒ≒１．０の屈折率を有する空気である。照明装置１００は、複数の光源１０８ａ−ｅも含み、複数の光源は、貯槽１０２の一方の側（以後、取入れ側１０２ｂとも呼ぶ）に沿って配置される。その構成を通じて、光源１０８ａ−ｅからの光を液体１０４内に取り入れることができ、それは液体光ガイド１０４として作用する。照明装置の光放射面積の大きさは異なり得るが、典型的には、０．０１〜０．５ｍ２の間である。
【００２９】
光源１０８ａ−ｅの数は、例えば、照明装置１００の大きさに依存して異なり得るし、一部の実施態様のために、それは単一光源で十分であり得る。明瞭性のために、以下の記載は光源１０８ａのみを参照して記載される。しかしながら、同じ原理が他の光源１０８ｂ−ｅにも当て嵌まる。
【００３０】
光源１０８ａは、単一のＬＥＤ又は複数のＬＥＤを含むＬＥＤ配列であり得る。ＬＥＤは、例えば、Ｒ、Ｇ、Ｂ、温白色、冷白色のＬＥＤであり得る。更に、光源１０８ａは、コリメータ１１０ａの形態の取入れ構造を備え得る。コリメータ１１０ａ内にＬＥＤ配列を配置することによって、光源１０８ａから放射する光ビームの方向を制限することができる。例証される実施態様において、光源１０８ａの主方向は、液体表面１０５によって定められる水平平面内にあり、コリメータは光源１０８ａから放射する光ビームの如何なる逸脱も水平平面から±２５°未満であるよう構成される。許容される最大偏差は用途に依存して並びに液体光ガイド１０４及び周囲媒体１０９の屈折率に依存して異なり得ることが認識される。例えば、長い「鋭い」楔形（即ち、より小さい角度Θ）を有する光ガイドのために、最大偏差は、典型的には、より低い。
【００３１】
コリメータの高さは、好ましくは、取入れ側１０２ｂでの液体の深さｈ１に対応し、ここでは、それは約１５ｍｍである。
【００３２】
貯槽の取入れ側１０２ｂは、光の取入れを可能にするために、光源１０８ａによって放射される光を本質的に透過する。更に、貯槽の底部１０２ａは、平坦な鏡面反射板１０７、鏡面反射を可能にするために、例えば、ＡｌａｎｏｄからのＭＩＲＯシルバーを備える。
【００３３】
図１ａに例証されるように、貯槽の底部１０２ａは、テーパ付き液体光ガイド１０４を提供するよう傾斜される。液体表面１０５によって定められる水平平面と底部表面１０２ａとの間の角度Θは異なり得る。「鋭い」楔形光ガイド（即ち、小さいΘ）のために、取出し光の強度分布は狭く、非対称的である（即ち、図２ｂに例証されるように、液体表面に対する法線に対して傾斜される）。楔形光ガイドの好適な長さ／高さ比（即ち、取出し側での液体の深さ（ｈ１）に対する光ガイドの長さ（ｌ１）は、約１０であり得る。
【００３４】
貯槽は、ここでは、液体表面１０５と平行に配置され且つ貯槽を完全に閉塞する蓋１０６を備える。周囲媒体１０９は液体表面１０５と蓋１０６との間の空間を充填する。照明器具への容易な統合を可能にするために、照明装置の全体的な高さ、ｈ３は、典型的には、２５ｍｍ未満である。
【００３５】
この実施態様において、蓋１０６は、取出し光を所望方向に方向変更するよう構成される方向変更板１０６である。方向変更板の実施例が図２ａに例証されている。ここでは、プリズム状構造が標準的であり、各プリズムは、頂角γ（典型的には、約４０°）と、１００μｍであるピッチｄとを有する。更に、プリズム状構造は、ここでは、非対称的である。例証されるように、方向変更板１０６を通過する光ビーム２０１，２０２は法線に向かって傾斜される。
【００３６】
図２ｂは、方向変更板を具備しない照明装置を例証している。光ガイド１０４から取り出される光２０３が非対称的な強度プロファイルを有することを見ることができ、それは放射される光の強度プロファイルが液体表面に対する法線に対して傾斜されることを意味する。図２ｃには、方向変更板１０６が法線に向かって非対称的な強度プロファイルをどのように傾斜するかが例証されている。
【００３７】
方向変更板が省略されるならば、貯槽を閉塞する蓋として、非構造的ＰＭＭＡ（ポリメチルメタクリレート）又はガラス板を代替的に使用し得る。これは、例えば、非対称的な強度プロファイルが好ましい壁を照明するときに有利であり得る。
【００３８】
図１ａを参照すると、光学素子１０３は、液体表面を歪ませ或いは「触れる」且つ波紋を誘発する機械的素子１１１を更に含む。機械的素子１１１は、（適切なモータのような）アクチュエータ１１に接続され、アクチュエータは、機械的素子１１１を垂直に移動し、それを液体１０４内に浸漬し得る。アクチュエータ１１２は制御ユニット１１３に接続され、制御ユニットは、アクチュエータを介して、機械的素子１１３の動作を制御する。表面を歪める周波数は、例えば、所望の照明パターン及び液体の粘度に依存して異なり得るが、ここでは、約０．１Ｈｚである。更に、異なる位置で表面に触れる追加的な機械的素子を設けることによって、干渉波を生成することができ、他の照明力学がもたらされる。これらの表面励起ユニットは、同期されてもされなくてもよい。楔形光ガイドのために、取入れ側１０２ｂに最も近接する光ガイドの長さの一部（典型的には、全長の約１／５）において、光は本質的に取り出されないので、液体表面は、好ましくは、表面励起ユニットが光路内にない取入れ側１０２ｂに近接して歪められる。
【００３９】
図１ｂにおいて、光源１０８ａから放射する光ビーム２００が液体光ガイド１０４を通過するとき、光源１０８ａから放射する光ビーム２００は追随される。例証される光ビーム２００は、地点Ｂで液体光ガイド１０４に進入する前に、地点Ａでコリメータ１１０ａによって反射される。次に、地点Ｃで、光ビームは貯槽の底部で鏡面反射器板１０７によって反射される。次に、光ビームは、地点Ｄで、液体光ガイド１０４と周囲媒体１０９との間の界面１０５を打つ。入射角αが（境界表面の法線に対して）臨界角よりも大きいと想定すると、全反射が起こり、光は反射され、液体光ガイド１０４内を伝搬し続ける。地点Ｅで、光ビームは鏡面反射器板１０７によって再び反射される。光ビーム２００が今や地点Ｆで臨界角未満の角度で境界表面１０５を打つと想定すると、光は取り出される。液体光ガイド内での反射の数は様々な光ビームのために異なると認識される。
【００４０】
前記構成を通じて、光は液体を通じて移送され、光ガイドの拡張部を通じて取り出される。移動する波紋が液体表面１０５に導入されるので、それは液体光ガイド１０４からの光の取出しに対して、よって、照明装置の強度分布に対して実質的な影響を有する。その結果は、例えば、建物の天井を照明する水に対して反射される太陽光に類似する動的な光効果である。所望の動的な光効果に依存して、液体の粘度を選択し得る。
【００４１】
図１ｃは、３つの平行な光ビーム１２１乃至１２３が液体表面１０５を打つときの３つの平行な光ビーム１２１乃至１２３の概略図である。第一光ビーム１２１は、臨界角よりも大きい角度Θ１で境界表面を打ち、よって、反射して光ガイド１０４内に戻る。第二光ビーム１２２は、接線が水平である波紋内の地点で境界表面１０５を打つ。ここでは、入射角Θ２は臨界角未満であり、よって、光の少なくとも一部が取り出される。第三光ビーム１２３も臨界角よりも小さい入射角Θ３を有し、よって、再び光の少なくとも一部が取り出される。Θ３＜Θ２であるので、より多くの部分の光ビーム１２３が取り出される。
【００４２】
図３ａは、代替的な照明装置を例証しており、そこでは、液体光ガイド１０４内の光が、底部表面（即ち、非反射板）で並びに液体表面１０５で全反射を用いて反射され、それによって、光３０４，３０５を上向き及び下向きの両方に取り出し得る。更に、方向変更板１０６，３０２が設けられる。周囲媒体は、例えば、空気であり得る。
【００４３】
図３ｂは、代替的な実施態様を例証しており、そこでは、方向変更板３０２は貯槽の底部に配置され、蓋は貯槽１０２の内部に面する鏡面反射表面３０１を有する。これは光３０４が下向きに放射される「ダウンライト」を可能にする。光ガイド１０４は液体であり得るし、周囲媒体１０９は空気であり得る。
【００４４】
図４は、周囲媒体１０９が光ガイドを構成する液体１０４よりも低い屈折率を有する液体である実施態様を例証している。ここでは、２つの液体は混和せず、周囲媒体１０９は光ガイドを構成する液体１０４よりも高い密度を有し、それ故に、照明装置を「ダウンライト」として利用し得る。
【００４５】
照明装置の形状は異なり得ることが認識されよう。例えば、照明装置を図５に例証されるような円筒形システム内で実施し得る。ここでは、光源５０１は、円筒形の貯槽５０２の中央に配置されている。貯槽５０２は、液体光ガイドを形成する液体５０３と、空気のような周囲媒体５０５とを収容する。蓋は、ここでは、同心リングの形態のプリズム構造を有する方向変更板５０４の形態にある。貯槽の底部表面５０７は、好ましくは、反射表面を備えるのに対し、液体から光源５０１を分離する壁５０６は、液体５０３内への光の取入れを可能にするよう透明である。光源５０１は、好ましくは、光ガイド内への光の効果的な取入れを可能にするよう、コリメータのような取入れ構造（図示せず）を備え得る。
【００４６】
本発明に従った照明装置は、表面模様付き（粗い）表面を照明し得る。例えば、模様付き壁を照明するウォールウォッシャである。その結果、連続的に変化する角度の下での照明の故に、壁はそれらの外観を連続的に変える。この効果を達成するために、斜入射が好ましい。
【００４７】
本発明は、主として、幾つかの実施態様を参照して上記に記載された。しかしながら、当業者によって直ちに理解されるように、上記に開示されたもの以外の他の実施態様も、付属の請求項によって定められるような本発明の範囲内で等しく可能である。例えば、表面励起ユニットは、（例えば、音響騒音を用いて液体表面を歪め得る）音発生器であり得る。機械的素子は液体と接触する必要がないので、これは完全に閉塞的なシステムを可能にする。更に、空気のような気体を液体内に吹き付けることによって、電磁アクチュエータを用いて液体内に浸水され或いは浮動する電磁素子を作動するよう、水族館におけると同様に液体を通じて吹き付けられる気泡のような気体を射出するよう、光ガイドを構成する液体を通じて液体の強制流を射出するよう、光ガイド表面内に液体を滴下することによって、或いは、（例えば、完全装置を振動することによる）完全装置の外部励起によって波紋を誘発し得る。２つの液体の間の界面を歪めるために、或いは、液体以外の可撓な材料を歪めるために、類似の構成を使用し得ることが認識されよう。
【００４８】
また、光ガイドの形状も異なり得る。例えば、光ガイドは、楔形の代わりに矩形断面を有し得るし、或いは、光ガイドからの所望の光取出しを可能にするようカスタマイズされた形状を有し得る。矩形断面のような一部の設計については、光ガイドから光を抽出するために、取出し構造が必要されることがある。例えば貯槽の底部（即ち、光ガイドの第二境界）上の小さい突起又は散乱ドットのような、多様な取出し構造を利用し得ることが当業者によって認識されよう。
【００４９】
壁又は天井以外の他の表面を照明するために照明装置を使用し得ることが認識されよう。本発明は、例えば、建築／装飾照明、室内照明、オフィス環境における動的自然照明のような多様な用途を見出し得る。
【図１ａ】
2011528485.tif 000003
【図１ｂ】
2011528485.tif 000004
【図１ｃ】
2011528485.tif 000005
【図２ａ】
2011528485.tif 000006
【図２ｂ】
2011528485.tif 000007
【図２ｃ】
2011528485.tif 000008
【図３ａ】
2011528485.tif 000009
【図３ｂ】
2011528485.tif 000010
【図４】
2011528485.tif 000011
【図５】
2011528485.tif 000012
【国際調査報告】
2011528485.tif 000013
2011528485.tif 000014
2011528485.tif 000015